(57)【特許請求の範囲】
【請求項１】
各々にＲＦＩＤタグが付された複数の物品を搬送するための搬送装置であって、
この搬送装置には、搬送装置の外部に設置されたリーダライタと前記複数の物品の各々に付されたＲＦＩＤタグとの無線通信を補助するための中継装置が設けられており、
前記中継装置は、
前記リーダライタと無線信号の送受を行うための第１アンテナと、
前記第１アンテナに有線で接続され、前記複数の物品の各々に付されたＲＦＩＤタグと無線信号の送受を行うための第２アンテナとを備え、かつ、
前記無線信号を増幅するための電源を有しておらず、
前記第１アンテナは、前記リーダライタの方向に指向性を持つ、パッチアンテナ、パラボラアンテナまたはダイオポールアンテナであり、
前記第２アンテナは、前記ＲＦＩＤタグの方向に指向性を持つ指向性アンテナであり、
前記第１アンテナの指向方向と前記第２アンテナの指向方向とは、異なっている、ことを特徴とする、搬送装置。
【請求項２】
前記搬送装置は、フォークリフトであり、
前記中継装置は、前記フォークリフトのフォーク部に設置されている、請求項１に記載の搬送装置。
【請求項３】
前記搬送装置は、パレットを有しており、
前記中継装置は、前記パレットに設置されている、請求項１または２に記載の搬送装置。
【請求項４】
前記リーダライタ−前記第１アンテナ間で利用される無線信号の偏波と、前記第２アンテナ−前記ＲＦＩＤタグ間で利用される無線信号の偏波とは、異なっている、請求項１〜３のいずれか１項に記載の搬送装置。
【請求項５】
各々にＲＦＩＤタグが付された複数の物品を搬送するための搬送装置と、この搬送装置の外部に設置されたリーダライタと、を備える物品管理システムであって、
前記搬送装置には、前記リーダライタと前記複数の物品の各々に付されたＲＦＩＤタグとの無線通信を補助するための中継装置が設けられており、
前記中継装置は、
前記リーダライタと無線信号の送受を行うための第１アンテナと、
前記第１アンテナに有線で接続され、前記複数の物品の各々に付されたＲＦＩＤタグと無線信号の送受を行うための第２アンテナとを備え、かつ、
前記無線信号を増幅するための電源を有しておらず、
前記第１アンテナは、前記リーダライタの方向に指向性を持つ、パッチアンテナ、パラボラアンテナまたはダイオポールアンテナであり、
前記第２アンテナは、前記ＲＦＩＤタグの方向に指向性を持つ指向性アンテナであり、
前記第１アンテナの指向方向と前記第２アンテナの指向方向とは、異なっている、ことを特徴とする、物品管理システム。
【請求項６】
前記搬送装置の近傍にゲートが設置されており、
このゲートには、前記リーダライタに接続され、前記複数の物品の各々に付されたＲＦＩＤタグとの無線通信を行うためのアンテナが設けられている、請求項５に記載の物品管理システム。
【発明の詳細な説明】
【技術分野】
【０００１】
本発明は、ＲＦＩＤタグ付き物品を搬送するための搬送装置、ならびに、この搬送装置を用いた物品管理システムに関する。
【背景技術】
【０００２】
物品の管理システムとして、ＲＦＩＤ（Ｒａｄｉｏ  Ｆｒｅｑｕｅｎｃｙ  Ｉｄｅｎｔｉｆｉｃａｔｉｏｎ）タグを用いたＲＦＩＤシステムが知られている。ＲＦＩＤタグは、タグ毎に識別可能な情報を保有しており、物品管理システムでは、各物品に貼り付けられたＲＦＩＤタグとリーダライタとの無線通信によって、各物品の管理情報が読み書きされる。具体的には、たとえば工場や倉庫では、搬送される物品や搬送用パレットにＲＦＩＤタグを付けておき、この情報をリーダライタにて読み書きすることで、物品の搬送先や在庫の管理を行うといった物品管理システムが利用されている。
【０００３】
このような物品管理システムにおいて、リーダライタは、たとえば特許文献１に記載されているように、トラックが通過するゲートに設けられていたり、たとえば特許文献２や特許文献３に記載されているように、フォークリフトに搭載されていたりする。
【先行技術文献】
【特許文献】
【０００４】
【特許文献１】特開２００２−２０５８２０号公報
【特許文献２】特開２００２−３２１８９９号公報
【特許文献３】特開２００６−３４７７１３号公報
【発明の概要】
【発明が解決しようとする課題】
【０００５】
ところで、搬送する物品の数が多くなると、すなわちＲＦＩＤタグの数が増えると、他のＲＦＩＤタグの影になったＲＦＩＤタグや物品中の金属物や磁性体の影になったＲＦＩＤタグを読み取ることが難しくなる。そこで、リーダライタをゲートに配置する場合は、リーダライタの出力を大きくするとともに、様々な角度から読み書きができるよう、リーダライタのアンテナをゲートの側面や天面など様々な位置に配置する必要がある。また、リーダライタをフォークリフトのような搬送装置に設ける場合、リーダライタには搬送装置の揺れや振動に対する高い信頼性が求められるし、搬送装置にはリーダライタを設置するためのスペースが必要になる。
【０００６】
本発明は上述した実情に鑑みてなされたものであり、その目的は、多数のＲＦＩＤタグ付き物品を搬送・管理するのに好適であって、簡易な構成で信頼性の高い搬送装置を提供することにある。また、本発明の他の目的は、簡易な構成で信頼性の高い物品管理システムを提供することにある。
【課題を解決するための手段】
【０００７】
本発明は、ＲＦＩＤタグ付き物品を搬送するための搬送装置であって、
この搬送装置には、搬送装置の近傍に設置されたリーダライタと前記物品に付された前記ＲＦＩＤタグとの無線通信を補助するための中継装置が設けられており、前記中継装置は、前記リーダライタと無線信号の送受を行うための第１アンテナと、前記第１アンテナに有線で接続され、前記物品に付された前記ＲＦＩＤタグと無線信号の送受を行うための第２アンテナとを備え、かつ、前記無線信号を増幅するための電源を有していない、ことを特徴とする搬送装置に関するものである。
【０００８】
また、本発明は、ＲＦＩＤタグ付き物品を搬送するための搬送装置と、この搬送装置の近傍に設置されたリーダライタと、を備える物品管理システムであって、前記搬送装置には、前記リーダライタと前記物品に付された前記ＲＦＩＤタグとの無線通信を補助するための中継装置が設けられており、前記中継装置は、前記リーダライタと無線信号の送受を行うための第１アンテナと、前記第１アンテナに有線で接続され、前記物品に付された前記ＲＦＩＤタグと無線信号の送受を行うための第２アンテナとを備え、かつ、前記無線信号を増幅するための電源を有していない、ことを特徴とする物品管理システムに関するものである。
【発明の効果】
【０００９】
本発明によれば、多数のＲＦＩＤタグ付き物品を搬送・管理するのに好適であって、簡易な構成で信頼性の高い搬送装置を提供することができる。また、簡易な構成で信頼性の高い物品管理システムを提供することができる。
【図面の簡単な説明】
【００１０】
【図１】本発明の実施例１に係る搬送装置および物品管理システムの概略図である。
【図２】本発明の実施例２に係る搬送装置および物品管理システムの概略図である。
【図３】本発明の実施例３に係る搬送装置および物品管理システムの概略図である。
【発明を実施するための形態】
【００１１】
＜実施例１＞
本実施例は、ＲＦＩＤタグ付き物品を搬送するための搬送装置、ならびに、この搬送装置と搬送装置近傍に設置されたリーダライタとを備える物品管理システムに関する。
【００１２】
具体的には、図１（Ａ）に示すように、搬送装置はフォークリフトであり、ＲＦＩＤタグ付き物品はＲＦＩＤタグが付された荷物である。無線信号としては、たとえばＵＨＦ帯の高周波信号が用いられる。
【００１３】
このフォークリフトは、基本的には、動力付きの車両本体の前面部に上下に可動なフォーク部を備えた一般的なフォークリフトであるが、特に、リーダライタとＲＦＩＤタグとの通信を補助するための中継装置を備えていることを主たる特徴としている。
【００１４】
フォークリフトに搭載された中継装置は、リーダライタと無線信号の送受を行うための第１アンテナと、物品に付されたＲＦＩＤタグと無線信号の送受を行うための第２アンテナとを備えており、無線信号を増幅するための電源は有していない。第１アンテナと第２アンテナとは５０Ωケーブルのような有線で接続されている。
【００１５】
この中継装置は、フォークリフトの近傍に設置されたリーダライタと搬送される物品に付されたＲＦＩＤタグとの無線通信を補助する。すなわち、図１（Ｂ）に示すように、リーダライタからＲＦＩＤタグに無線信号を送信する場合、リーダライタアンテナから第１アンテナに無線で信号が送信され、第１アンテナから第２アンテナに有線で信号が送信され、第２アンテナから各荷物に付された各ＲＦＩＤタグのアンテナに無線で信号が送信される。ＲＦＩＤタグからリーダライタに無線信号を送信する場合、各荷物に付された各ＲＦＩＤタグから第２アンテナに無線で信号が送信され、第２アンテナから第１アンテナに有線で信号が送信され、第１アンテナからリーダライタアンテナに無線で信号が送信される。
【００１６】
このように、中継装置は、搬送される物品（荷物）の近傍に配置されるため、ＲＦＩＤタグの近傍から情報を読み書きすることができ、多数のＲＦＩＤタグ付き物品を搬送・管理するに際し、必ずしも高出力のリーダライタを用いる必要はない。特に、この中継装置は、無線信号を増幅するための電源を有していないため、すなわち、電池やその制御回路、増幅回路等を持たない無電源の中継装置であって、２つのアンテナとこれらを接続するためのケーブルのみで実質的に構成されているため、フォークリフトの始動や移動にともなう揺れや振動で故障することが少なく、信頼性の高いシステムを構築できる。また、リーダライタ本体には、通常、情報処理装置やこれを駆動するための電源装置、情報を表示するための表示装置等が備えられており、比較的大きなスペースを占めるが、本実施例によれば、フォークリフトにはリーダライタ本体を設置するためのスペースは必要無く、フォークリフトの構成を簡素化できるとともに、簡易な構成かつ低コストで物品管理システムを構築できる。
【００１７】
なお、本実施例において、中継装置はフォークリフトのフォーク部に設置されている。すなわち、第１アンテナ、第２アンテナの両アンテナがフォーク部に設けられている。第１アンテナは車両本体側に設けられていてもよいが、第１アンテナと第２アンテナとをケーブルで接続する必要があり、フォーク部の上下動にともない断線の可能性が生じることから、両アンテナをフォーク部に設けることが好ましい。中継装置は、上述したように、２つのアンテナとこれらを接続するためのケーブルのみで実質的に構成されているため、スペースの小さなフォーク部に容易に設置することができる。
【００１８】
本実施例において、第１アンテナはフォーク部の側面に設けられており、第２アンテナはフォーク部の正面（パレット側）に設けられている。特に、第１アンテナはリーダライタの方向に指向性を持つ指向性アンテナであり、第２アンテナはＲＦＩＤタグの方向に指向性を持つ指向性アンテナであることが好ましい。指向性アンテナとしては、パッチアンテナやパラボラアンテナ、ダイポールアンテナ等を利用することができるが、簡易な構成でありながらも金属物上に配置可能であって指向性を持ったパッチアンテナが好ましい。また、リーダライタアンテナ−第１アンテナ間の送受信信号と、第２アンテナ−ＲＦＩＤタグアンテナ間の送受信信号との混信を避けるため、第１アンテナの指向方向と第２アンテナの指向方向とは異なっていることが好ましい。具体的には、各アンテナがパッチアンテナのような指向性アンテナであって、第１アンテナの指向方向がフォークリフトの側面または後方に向けられており、第２アンテナの指向方向がフォークリフトの前方に向けられていることが好ましい。
【００１９】
また、リーダライタアンテナ−第１アンテナ間の送受信信号と、第２アンテナ−ＲＦＩＤタグアンテナ間の送受信信号との混信を避けるため、リーダライタアンテナ−第１アンテナ間で利用される無線信号の偏波と第２アンテナ−ＲＦＩＤタグアンテナ間で利用される無線信号の偏波とが異なっていることが好ましい。具体的には、リーダライタアンテナ−第１アンテナ間で直線偏波を利用する場合、第２アンテナ−ＲＦＩＤタグアンテナ間では円偏波を利用する、あるいは、リーダライタアンテナ−第１アンテナ間で円偏波を利用する場合、第２アンテナ−ＲＦＩＤタグアンテナ間では直線偏波を利用する等のように、直線偏波と円偏波とを使い分けることが好ましい。また、たとえば、リーダライタアンテナ−第１アンテナ間で右旋偏波を利用する場合、第２アンテナ−ＲＦＩＤタグアンテナ間では左旋偏波を利用する、リーダライタアンテナ−第１アンテナ間で左旋偏波を利用する場合、第２アンテナ−ＲＦＩＤタグアンテナ間では右旋偏波を利用する等のように、右旋偏波と左旋偏波を使い分けてもよい。
【００２０】
＜実施例２＞
図２（Ａ）に示すように、本実施例の物品管理システムでは、実施例１の物品管理システムの構成に加え、リーダライタを備えたゲートを有する。すなわち、フォークリフトの近傍にはゲートが設置されており、このゲートには、リーダライタに接続され、荷物に付されたＲＦＩＤタグとの無線通信を行うためのアンテナが設けられている。
【００２１】
図２（Ａ）および（Ｂ）に示すように、本実施例におけるリーダライタは、フォークリフト側に設けられた第１アンテナに無線を介して接続されるとともに、ケーブルを介して第１ゲートに設けられたアンテナＡ、第２ゲートに設けられたアンテナＢにそれぞれ接続されている。なお、アンテナＡおよびアンテナＢも指向性アンテナであり、それぞれフォークリフトを両側から挟み込むように配置されており、ゲートを通過するフォークリフトの方向に指向性を有している。
【００２２】
したがって、このフォークリフトがゲートを通過する際、各荷物に付された各ＲＦＩＤタグは、第２アンテナ、アンテナＡおよびアンテナＢから無線信号を受け、つまり異なる方向から無線信号を受けるため、パレット上に多数の荷物が積み重ねられていても、各荷物に付されたＲＦＩＤタグの読み取り精度を確保することができる。
【００２３】
なお、リーダライタとアンテナＡおよびアンテナＢとは、上述のようにケーブル等の有線で接続してもよいが、無線で接続してもよい。
【００２４】
＜実施例３＞
図３（Ａ）に示すように、パレットに第１アンテナおよび第２アンテナが設けられていてもよい。すなわち、搬送装置はパレットを有しており、中継装置はパレットに設置されていてもよい。この第１アンテナと第２アンテナも、実施例１における第１アンテナと第２アンテナと同様、ケーブル等の有線を介して接続されている。
【００２５】
本実施例の場合、第１アンテナをパレットの側面に配置し、第２アンテナを上方に指向性を有する指向性アンテナとし、かつ、パレットの上面に配置することが好ましい。特に、本実施例のように、フォーク部には、図中右方向に指向性を有するフォーク側第２アンテナを有し、パレットには、図中上方向に指向性を有するパレット側第２アンテナを有していれば、パレットに積まれた複数の荷物に付されたＲＦＩＤタグを精度良く読み取ることができる。
【００２６】
なお、本実施例においては、フォークリフトのフォーク部にも第１アンテナおよび第２アンテナが設けられているが、フォーク部には第１アンテナおよび第２アンテナからなる中継装置が設けられていなくてもよい。
【００２７】
＜他の実施例＞
以上、本発明を具体的な実施例に基づき説明したが、本発明は上述した実施例に限定されるものではない。
【００２８】
たとえば、一本のリーダライタアンテナに対して複数の第１アンテナを有していてもよいし、複数のリーダライタアンテナに対して複数の第１アンテナを有していてもよい。また、一本の第１アンテナに対して複数の第２アンテナが接続されていてもよい。
【００２９】
また、この物品管理システムで用いられる信号の周波数帯は、ＵＨＦ帯の高周波信号に限定されるものではなく、ＨＦ帯やＳＨＦ帯の高周波信号であって構わない。
【００３０】
また、搬送装置は、フォークリフトに限定されるものではなく、トラック等の運送用車両であってもよいし、人力で移動させる台車であってもよい。
【産業上の利用可能性】
【００３１】
以上のように、本発明は、ＲＦＩＤタグ付き物品を搬送するための搬送装置、ならびに、この搬送装置を用いた物品管理システムに係るものであり、工場や倉庫における荷物の出荷・入荷管理や在庫管理等に有用である。
【図１】
0005884269.tif 000002
【図２】
0005884269.tif 000003
【図３】
0005884269.tif 000004